(57)【要約】【課題】医薬に関する投稿を行うことができる投稿システム、プログラム、およびコンピュータ読み取り可能な記憶媒体を提供する。【解決手段】医薬に関する投稿を行う投稿システム１は、投稿を行う投稿者のクライアント端末１０と通信回線２０を通じてアクセス可能に構成されたサーバコンピュータ３０を有し、サーバコンピュータ３０は、投稿を、クライアント端末１０を介して入力する投稿入力部７０と、投稿入力部７０により入力された投稿をクライアント端末１０に表示する投稿表示部８０と、を有することを特徴とする。【選択図】図１
2020135775.tif 000002
【特許請求の範囲】
【請求項１】
医薬に関する投稿を行う投稿システムであって、
前記投稿を行う投稿者のクライアント端末とアクセス可能に構成されたコンピュータを有し、
前記コンピュータは、
前記投稿を、前記クライアント端末を介して入力する投稿入力部と、
前記投稿入力部により入力された前記投稿を前記クライアント端末に表示する投稿表示部と、
を有することを特徴とする投稿システム。
【請求項２】
前記投稿は、前記投稿の内容の概要を示す投稿テーマと、前記投稿テーマに対応する前記投稿の内容の詳細を示す詳細書き込みと、を含み、
前記投稿入力部は、前記投稿テーマを入力する投稿テーマ入力部と、前記投稿テーマに対応する詳細な書き込みを入力する詳細書き込み入力部と、を有し、
前記投稿表示部は、前記投稿テーマ入力部により入力された投稿テーマを表示する投稿テーマ表示部と前記詳細書き込み入力部により入力された詳細書き込みを表示する詳細書き込み表示部と、を有することを特徴とする請求項１に記載の投稿システム。
【請求項３】
前記コンピュータは、所定の利用規約に同意するか否かを確認する同意確認部を有することを特徴とする請求項１または請求項２に記載の投稿システム。
【請求項４】
前記利用規約は、前記投稿の内容の保証を行わないことを示す規約である内容不保証規約を含むことを特徴とする請求項３に記載の投稿システム。
【請求項５】
前記医薬に関する投稿は、薬機法に関わる投稿とすることを特徴とする請求項１乃至請求項４のいずれか一項に記載の投稿システム。
【請求項６】
前記薬機法に関わる投稿は、前記薬機法の第１条に規定する医薬品、医薬部外品、化粧品、医療機器及び再生医療等製品に関わる事項とすることを特徴とする請求項５に記載の投稿システム。
【請求項７】
医薬に関する投稿を行う投稿システムにおけるコンピュータを、
前記投稿を、クライアント端末を介して入力する投稿入力部と、
前記投稿入力部により入力された前記投稿を前記クライアント端末に表示する投稿表示部として機能させることを特徴とするプログラム。
【請求項８】
前記コンピュータを、
更に、所定の利用規約に同意するか否かを確認する同意確認部として機能させる請求項７に記載のプログラム。
【請求項９】
請求項７または請求項８に記載のプログラムを記憶することを特徴とするコンピュータ読み取り可能な記憶媒体。
【発明の詳細な説明】
【技術分野】
【０００１】
本発明は、投稿システム、プログラム、およびコンピュータ読み取り可能な記憶媒体に関し、特に医薬に関する投稿を行う投稿システム、プログラム、およびコンピュータ読み取り可能な記憶媒体に関する。
【背景技術】
【０００２】
近年、Ｗｅｂサイトを通じて各種の投稿を行うことができる投稿サイトが広く知られており、例えば特許文献１および特許文献２にはこのような投稿サイトに関する技術が開示されている。
【先行技術文献】
【特許文献】
【０００３】
【特許文献１】特開２００８−７１３３０号公報
【特許文献２】特開２０１３−１０１５７８号公報
【発明の概要】
【発明が解決しようとする課題】
【０００４】
ところで、昨今は、各種の医療機器、医薬が流通しており、また健康ブームの到来から医薬に関する投稿を柔軟に行うことができる投稿システムの提供が望まれていた。
【０００５】
本願発明は上記事情に鑑みてなされたものであり、医薬に関する投稿を行うことができる投稿システム、プログラム、およびコンピュータ読み取り可能な記憶媒体を提供することを目的とする。
【課題を解決するための手段】
【０００６】
上記目的を達成するために、本発明に係る投稿システムは、医薬に関する投稿を行う投稿システムであって、前記投稿を行う投稿者のクライアント端末とアクセス可能に構成されたコンピュータを有し、前記コンピュータは、前記投稿を、前記クライアント端末を介して入力する投稿入力部と、前記投稿入力部により入力された前記投稿を前記クライアント端末に表示する投稿表示部と、
を有することを特徴とする。
【０００７】
本発明によれば、前記投稿を行う投稿者のクライアント端末と通信回線を通じてアクセス可能に構成されたコンピュータを有し、前記コンピュータは、前記投稿を、前記クライアント端末を介して入力する投稿入力部と、前記投稿入力部により入力された前記投稿を前記クライアント端末に表示する投稿表示部と、を有することとしたので、クライアント端末およびコンピュータを介して医薬に関する投稿を行うことができる。
【０００８】
前記投稿は、前記投稿の内容の概要を示す投稿テーマと、前記投稿テーマに対応する前記投稿の内容の詳細を示す詳細書き込みと、を含み、前記投稿入力部は、前記投稿テーマを入力する投稿テーマ入力部と、前記投稿テーマに対応する詳細な書き込みを入力する詳細書き込み入力部と、を有し、前記投稿表示部は、前記投稿テーマ入力部により入力された投稿テーマを表示する投稿テーマ表示部と前記詳細書き込み入力部により入力された詳細書き込みを表示する詳細書き込み表示部と、を有することとすれば、投稿テーマの入力および表示と投稿テーマに対応した詳細書き込みの入力および表示を行うことができる。
【０００９】
前記コンピュータは、所定の利用規約に同意するか否かを確認する同意確認部を有することとすれば、所定の利用規約に同意した投稿者の投稿のみを入力および表示することが可能となる。
【００１０】
前記利用規約は、前記投稿の内容の保証を行わないことを示す規約である内容不保証規約を含むことができる。
【００１１】
前記医薬に関する投稿は、薬機法に関わる投稿とすることができる。
前記薬機法に関わる投稿は、前記薬機法の第１条に規定する医薬品、医薬部外品、化粧品、医療機器及び再生医療等製品に関わる事項とすることができる。
【００１２】
上記目的を達成するために、本発明に係るコンピュータは、医薬に関する投稿を行う投稿システムにおけるコンピュータを、前記投稿を、クライアント端末を介して入力する投稿入力部と、前記投稿入力部により入力された前記投稿を前記クライアント端末に表示する投稿表示部として機能させることを特徴とする。
【００１３】
前記コンピュータを、更に、所定の利用規約に同意するか否かを確認する同意確認部として機能させることができる。
【００１４】
上記目的を達成するために、本発明に係るコンピュータ読み取り可能な記憶媒体は、上記のプログラムを記憶することを特徴とする。
【発明の効果】
【００１５】
本発明によれば、医薬に関する投稿を行うことができる。
【図面の簡単な説明】
【００１６】
【図１】本発明の実施形態に係る投稿システムの全体構成の概要を示す図である。
【図２】同投稿システムのクライアント端末の構成を示すブロック図である。
【図３】同投稿システムのコンピュータの構成を示すブロック図である。
【図４】同投稿システムのコンピュータの同意確認部の構成を示す図である。
【図５】同投稿システムの投稿表示部の構成を示す図である。
【図６】同投稿システムによる投稿方法を説明するためのフローチャートである。
【図７】同投稿システムによる投稿方法を説明するための図６に続くフローチャートである。
【図８】同投稿システムによる投稿方法を説明するための図７に続くフローチャートである。
【発明を実施するための形態】
【００１７】
以下、本発明の実施形態について図面を参照して詳細に説明する。図１は、本発明の実施形態に係る投稿システム１の全体構成の概要を示す図、図２は、同投稿システム１のクライアント端末１０の構成を示すブロック図、図３は、同投稿システム１のコンピュータ３０の構成を示すブロック図、図４は、同投稿システム１のコンピュータ３０の同意確認部４２の構成を示す図、図５は、同投稿システム１の投稿表示部８０の構成を示す図である。
【００１８】
これらの図を参照して本発明の投稿システム１の概要を説明すると、同投稿システム１は、医薬に関する投稿を行う投稿システム１であって、投稿を行う投稿者のクライアント端末１０と無線または有線の通信回線２０より詳しくはネットワーク通信回線２０を通じてアクセス可能に構成されたコンピュータ３０より詳しくはサーバコンピュータ３０（以下、コンピュータ３０は、サーバコンピュータ３０とする）を有している。本発明において、医薬に関する投稿は、薬機法（より詳しくは医薬品、医療機器等の品質、有効性及び安全性の確保等に関する法律）に関わる投稿、より詳しくは、薬機法の第１条に規定する医薬品、医薬部外品、化粧品、医療機器及び再生医療等製品（以下、医薬品等とする）に関わる事項に関する投稿、更に詳しくは薬機法の制約を受ける前記医薬品等に係る関わる事項に関する投稿とすることができる。
【００１９】
ここで、クライアント端末１０は、パーソナルコンピュータ、携帯電話機、タブレット端末、およびスマートフォン等を含み、サーバコンピュータ３０は、Ｗｅｂサーバやその他サーバを含む。クライアント端末１０は、図２に示すように、端末入力部１１、端末記憶部１２、および端末表示部１３を有している。
【００２０】
すなわち、投稿者のクライアント端末１０は、端末記憶部１２にＷｅｂブラウザプログラムを記憶するとともに、Ｗｅｂブラウザプログラムを実行することによりＷｅｂブラウザを起動し、更にＷｅｂブラウザを介して所定の通信プロトコルによりＷｅｂサーバにアクセスして、管理者が管理するＷｅｂサイトのＷｅｂページを取得し、Ｗｅｂページを介して端末入力部１１から投稿を入力し、更に端末表示部１３に投稿を表示し、閲覧可能とすることができる。
【００２１】
Ｗｅｂブラウザは、インターネットエクスプローラー、サファリ、クローム、アンドロイドブラウザ、オペラ、ファイヤーフォックス等を含むことができる。
【００２２】
また、通信プロトコルは、ＨＴＴＰまたはＨＴＴＰＳに対応したプロトコルとすることができる。
【００２３】
サーバコンピュータ３０は、コンピュータとしての一般的な構成を備えており、中央処理装置（ＣＰＵ）、記憶装置（メモリ、ハードディスク）、入力装置（キーボード、マウス、タッチパネル）、表示装置（ディスプレー）等を有している。記憶装置は、コンピュータ読み取り可能な記憶媒体として機能する。
【００２４】
サーバコンピュータ３０は、図３に示すように、パスワード管理部４０、アクセス管理部５０、および投稿管理部６０を有しており、更にパスワード管理部４０は、パスワード発行部４１、同意確認部４２、パスワード記憶部４３、およびパスワード送信部４４を有し、アクセス管理部５０は、パスワード入力部５１およびアクセス許可部５２を有し、投稿管理部６０は、投稿入力部７０および投稿表示部８０を有している。
【００２５】
パスワード発行部４１は、投稿者に対しクライアント端末１０を介してＩＤおよびＩＤに対応したパスワードを発行する機能を有している。
【００２６】
同意確認部４２は、投稿者が、所定の利用規約に同意するか否かを確認する機能を有している。すなわち、パスワード発行部４１は、同意確認部４２が、投稿者が利用規約に同意することを確認したときにＩＤおよびパスワードを発行することができる。本発明において、利用規約は、投稿の内容の保証を管理者が行わないことを示す規約である内容不保証規約を含むことができる。
【００２７】
なお、サーバコンピュータ３０は、図４に示すように、クライアント端末１０の端末表示部１３を介して行う所定の表示４０´として利用規約４０ａ´を表示するとともに、利用規約４０ａ´に同意するための同意釦４０ｂ´および利用規約４０ａ´に同意しないことを示す非同意釦４０ｃ´を表示し、同意確認部４２は、投稿者がクライアント端末１０の端末入力部１１を介して同意釦４０ｂ´を押下したときは同意を確認し、非同意釦４０ｃ´を押下したときは非同意を確認する。
【００２８】
この所定の表示４０´には、投稿者がクライアント端末１０の端末入力部１１を介してＩＤ（ユーザー名）およびパスワード等を入力するための表示部４０ｄ´を含んでおり、利用者が利用規約４０ａ´に同意したときに、パスワード発行部４１は、表示部４０ｄ´を介して入力したＩＤおよびパスワードを設定するとともに、投稿者に対しクライアント端末１０を介してＩＤおよびパスワードを発行する。
【００２９】
パスワード記憶部４３は、パスワード発行部４１が発行したＩＤおよびパスワードを対応させて記憶する機能を有している。
【００３０】
パスワード送信部４４は、パスワード発行部４１が発行したＩＤおよびパスワードをクライアント端末１０に送信する機能を有している。
【００３１】
パスワード入力部５１は、クライアント端末１０の端末入力部１１を介して投稿者からＩＤおよびパスワードを入力する機能を有している。
【００３２】
アクセス許可部５２は、パスワード入力部５１から入力したＩＤおよびパスワードと一致するＩＤおよびパスワードがパスワード記憶部４３に記憶されたＩＤおよびパスワードにあるか否かにより、クライアント端末１０を介しての投稿者のアクセスを許可するか否かを判断する機能を有している。
【００３３】
投稿入力部７０は、アクセス許可部５２によりクライアント端末１０を介してのアクセスが許可されたときに、投稿者からの投稿をクライアント端末１０の端末入力部１１を介して入力する機能を有している。投稿入力部７０による入力は、クライアント端末１０の端末表示部１３に所定の入力画面を表示させながら行うことができる。
【００３４】
投稿表示部８０は、投稿入力部７０により入力された投稿者からの投稿をクライアント端末１０の端末表示部１３に表示し投稿者に投稿を閲覧可能とする機能を有している。
【００３５】
ここで、投稿者からの投稿は、投稿の内容の概要を示す投稿テーマと、投稿テーマに対応する投稿の内容の詳細を示す詳細書き込みと、を含み、投稿入力部７０は、投稿テーマを入力する投稿テーマ入力部７１と、投稿テーマに対応する詳細書き込みを入力する詳細書き込み入力部７２と、を有している。
【００３６】
また、投稿表示部８０は、図５に示すように、投稿テーマ入力部７１により入力された投稿テーマを表示し閲覧可能とする投稿テーマ表示部８１と詳細書き込み入力部７２により入力された詳細書き込みを表示し閲覧可能とする詳細書き込み表示部８２と、を有している。
【００３７】
ここで、上記のサーバコンピュータ３０における各機能部は、プログラム１００を実行することによりその機能を実現することができる。
【００３８】
すなわち、プログラム１００は、サーバコンピュータ３０のメモリ（コンピュータ読み取り可能な記憶媒体）上に記憶されており、サーバコンピュータ３０を、パスワード発行部４１、同意確認部４２、パスワード記憶部４３、パスワード送信部４４、パスワード入力部５１、アクセス許可部５２、投稿テーマ入力部７１、詳細書き込み部７２、投稿テーマ表示部８１、および詳細書き込み表示部８２として機能させることができる。
【００３９】
次に、投稿システム１による投稿方法を図６乃至図８に示すフローチャートに基づいて説明する。
【００４０】
すなわち、まずパスワード管理部４０による所定の処理を行う。
つまり、ステップＳ１０において、同意確認部４２が、投稿者が、利用規約４０ａ´に同意したか否かを確認し、同意したことを確認したときは、ステップ２０に進み、パスワード発行部４１が、ＩＤおよびパスワードを発行する。
【００４１】
続いて、ステップＳ３０において、パスワード記憶部４３が、ＩＤおよびパスワードを記憶するとともに、パスワード送信部４４が、クライアント端末１０にＩＤおよびパスワードを送信する。
【００４２】
次いで、アクセス管理部５０による所定の処理を行う。
すなわち、ステップＳ４０において、パスワード入力部５１が、クライアント端末１０を介して投稿者からＩＤおよびパスワードを入力する。
【００４３】
続いて、ステップＳ５０において、アクセス許可部５２が、入力されたＩＤおよびパスワードと一致するＩＤおよびパスワードがパスワード記憶部４３に記憶されているか否かを確認し、一致するＩＤおよびパスワードがあるときは、投稿者のアクセスを許可する。
【００４４】
次いで、投稿入力部７０および投稿表示部８０による所定の処理を行う。
すなわち、ステップＳ７０において、投稿テーマ入力部７１が、投稿テーマを入力するとともに、詳細書き込み入力部７２が、詳細書き込みを入力する。なお、詳細書き込みの入力は、投稿テーマを入力した投稿者以外の投稿者の投稿も可能である。すなわち、投稿テーマを入力した投稿者以外の投稿者がクライアント端末１０を介してＩＤおよびパスワードを入力することにより行うこともできる。
【００４５】
続いて、ステップ８０において、投稿テーマ表示部８１が、投稿テーマを表示するとともに、詳細書き込み表示部８２が、詳細書き込みを表示する。なお、投稿テーマや詳細書き込みの表示、閲覧は、投稿テーマや詳細書き込みを入力した投稿者以外の投稿者が行うことも可能である。すなわち、投稿テーマや詳細書き込みを入力した投稿者以外の投稿者がクライアント端末１０を介してＩＤおよびパスワードを入力することにより行うこともできる。
【００４６】
以上説明したように、本実施形態によれば、投稿を行う投稿者のクライアント端末１０と通信回線２０を通じてアクセス可能に構成されたサーバコンピュータ３０を有し、サーバコンピュータは、投稿を、クライアント端末１０を介して入力する投稿入力部７０と、投稿入力部７０により入力された投稿をクライアント端末１０に表示する投稿表示部８０と、を有することとしたので、クライアント端末１０およびサーバコンピュータ３０を介して医薬に関する投稿を行うことができる。
【００４７】
また、投稿入力部７０は、投稿テーマを入力する投稿テーマ入力部７１と、投稿テーマに対応する詳細な書き込みを入力する詳細書き込み入力部７２と、を有し、投稿表示部８０は、投稿テーマ入力部７１により入力された投稿テーマを表示する投稿テーマ表示部８１と詳細書き込み入力部７２により入力された詳細書き込みを表示する詳細書き込み表示部８２と、を有することとしたので、投稿テーマの入力および表示と投稿テーマに対応した詳細書き込みの入力および表示を行うことができる。
【００４８】
更に、サーバコンピュータ３０は、所定の利用規約４０ａ´に同意するか否かを確認する同意確認部４２を有することとしたので、所定の利用規約４０ａ´に同意した投稿者の投稿のみを入力および表示することが可能となる。
【００４９】
なお、本発明は、上述した実施形態に限定されることなく特許請求の範囲を逸脱しない範囲において、種々の変形実施および応用実施が可能であることは勿論である。
【００５０】
すなわち、上述した実施形態にあっては、医薬に関する投稿は、薬機法に関わる投稿とすることとしているが、薬機法に関わる投稿に限らず医薬に関する他の法律の制約を受ける投稿更には広く医薬に関する投稿を含むことができる。ただし、医薬に関する投稿は、薬機法に関わる投稿とするがより好ましい。
【００５１】
また、上述した実施形態にあっては、利用規約４０ａ´は、投稿の内容の保証を行わないことを示す規約である内容不保証規約を含むこととしているが、このような場合に限らず内容不保証規約を含まない利用規約４０ａ´も含むことができる。ただし、利用規約４０ａ´は、投稿の内容の保証を行わないことを示す規約である内容不保証規約を含むこととすることがより好ましい。
【符号の説明】
【００５２】
１：投稿システム
１０：クライアント端末
１１：端末入力部
１２：端末記憶部
１３：端末表示部
２０：通信回線
３０：サーバコンピュータ
４０：パスワード管理部
４０´：表示画面
４０ａ´：利用規約
４０ｂ´：同意釦
４０ｃ´：非同意釦
４０ｄ´：表示部
４１：パスワード発行部
４２：同意確認部
４３：パスワード記憶部
４４：パスワード送信部
５０：アクセス管理部
５１：パスワード入力部
５２：アクセス許可部
６０：投稿管理部
７０：投稿入力部
７１：投稿テーマ入力部
７２：詳細書き込み入力部
８０：投稿表示部
８１：投稿テーマ表示部
８２：詳細書き込み表示部
１００：プログラム
【図１】
2020135775.tif 000003
【図２】
2020135775.tif 000004
【図３】
2020135775.tif 000005
【図４】
2020135775.tif 000006
【図５】
2020135775.tif 000007
【図６】
2020135775.tif 000008
【図７】
2020135775.tif 000009
【図８】
2020135775.tif 000010